(57)【要約】      （修正有）【課題】埃などからプリザーブドフラワーを保護するとともに、プリザーブドフラワーの装飾性を高めつつ壁に飾ることを可能とする壁掛け用額縁を提供する。【解決手段】壁掛け用額縁１は、不透明な樹脂でできた基底部１１と、基底部１１の手前面上に配置されるプリザーブドフラワーＦを覆うように基底部１１に取り付けられる透明なアクリル樹脂でできた蓋部１２と、基底部１１の内部に配置された電源部と、該電源部から電力の供給を受けて発光し、プリザーブドフラワーＦをライトアップする発光部１４と、電源部から発光部１４に対し電力を導く導電部１５とを備えている。導電部１５は基底部１１に配置された後方導電部と、蓋部１２に配置された前方導電部とを有し、蓋部１２の基底部１１に対する取り付けに伴いそれらが互いに電気的に接続され、電源部から発光部１４への電力供給が行われるようになる。【選択図】図１
0003161923.tif 000002
【実用新案登録請求の範囲】
【請求項１】
基底部と、
前記基底部に対向する位置に配置される表面部と、
前記基底部と前記表面部との間を連結する位置に配置される側面部と
を備え、
前記表面部および前記側面部の少なくとも一部分は透明素材もしくは半透明素材でできており、
前記基底部、前記表面部および前記側面部は全体として箱状のケースを構成し、
前記ケースの内部に無加工の天然の花、加工された天然の花もしくは人工の花を配置した状態で飾られる
壁掛け用額縁。
【請求項２】
前記表面部および前記側面部の透明素材もしくは半透明素材でできている部分の少なくとも一部の厚さが３ミリメートル以下である
請求項１に記載の壁掛け用額縁。
【請求項３】
前記表面部および前記側面部の透明素材もしくは半透明素材でできている部分の少なくとも一部の厚さが２ミリメートル以下である
請求項２に記載の壁掛け用額縁。
【請求項４】
前記箱状のケースの外側表面における２面の接続部である縁部および３以上の面の接続部である角部の少なくとも一部が丸められている
請求項１乃至３のいずれかに記載の壁掛け用額縁。
【請求項５】
電源部と、
前記電源部から供給される電力により発光する発光部と
を備える
請求項１乃至４のいずれかに記載の壁掛け用額縁。
【請求項６】
前記発光部は、前記表面部および前記側面部のいずれかの位置に配置され、前記無加工の天然の花、加工された天然の花もしくは人工の花に対し、正面方向から側面方向に至る範囲内のいずれかの方向に光を照射する
請求項５に記載の壁掛け用額縁。
【請求項７】
前記側面部は、各々が矩形状の上側面部、下側面部、右側面部および左側面部を有し、
前記ケースは、直方体状の形状を有し、
前記発光部は、前記直方体状の形状を有する箱状のケースにおいて、前記表面部と前記各々が矩形状の上側面部、下側面部、右側面部および左側面部とが構成する４つの角部の各々のうち少なくともいずれかの角部に配置される
請求項５または６に記載の壁掛け用額縁。
【請求項８】
前記電源部は、前記基底部に配置され、
前記発光部は、前記基底部が前記側面部と係合し前記ケースが構成されることより前記電源部と電気的に接続されて発光可能となる
請求項５乃至７のいずれかに記載の壁掛け用額縁。
【請求項９】
前記ケースの内部に配置された、ビーズを伴う無加工の天然の花、加工された天然の花もしくは人工の花を備える
請求項５乃至８のいずれかに記載の壁掛け用額縁。
【考案の詳細な説明】
【技術分野】
【０００１】
本考案は、観賞用のプリザーブドフラワー等の花を内部に配置することが可能な壁掛け用額縁に関する。
【背景技術】
【０００２】
観賞用のプリザーブドフラワー、ドライフラワー、シルクフラワー等は、立体的なケースの内部に配置して適当な場所に置かれることにより、長期間の保存が可能になるとともに、ケースそのものによって当該プリザーブドフラワー等を装飾し引き立たせることができる。
【０００３】
例えば、特許文献１には、アクリル樹脂製の板材を用いることにより当該容器による装飾性およびドライフラワーの視認性を高めるドライフラワー観賞用容器が提案されている。
【０００４】
また、特許文献２には、アクリル製樹脂の板材を用いるとともに、ケースの内部と外部の空気の出入りが無いように密閉することによりドライフラワーの保存性を高めるドライフラワーの観賞・保存用容器が提案されている。
【０００５】
また、特許文献３には、発光ダイオードを用いることによりインテリア性を高めたランプケースが提案されている。
【先行技術文献】
【特許文献】
【０００６】
【特許文献１】特開２００１−３３４７９７号公報
【特許文献２】特開２００８−２０８０７５号公報
【特許文献３】特開２００５−１２５７２７号公報
【考案の概要】
【考案が解決しようとする課題】
【０００７】
本考案は、埃などからプリザーブドフラワー等を保護するとともに、プリザーブドフラワー等の装飾性を高めつつ壁に飾ることを可能とする手段を提供することを目的とする。
【課題を解決するための手段】
【０００８】
本考案は、上記の目的に鑑みて想到されたものであり、
基底部と、
前記基底部に対向する位置に配置される表面部と、
前記基底部と前記表面部との間を連結する位置に配置される側面部と
を備え、
前記表面部および前記側面部の少なくとも一部分は透明素材もしくは半透明素材でできており、
前記基底部、前記表面部および前記側面部は全体として箱状のケースを構成し、
前記ケースの内部に無加工の天然の花、加工された天然の花もしくは人工の花を配置した状態で飾られる
壁掛け用額縁を提供する（第１の実施態様）。
【０００９】
また、上記の第１の実施態様において、
前記表面部および前記側面部の透明素材もしくは半透明素材でできている部分の少なくとも一部の厚さが３ミリメートル以下である
構成を採用してもよい（第２の実施態様）。
【００１０】
また、上記の第２の実施態様において、
前記表面部および前記側面部の透明素材もしくは半透明素材でできている部分の少なくとも一部の厚さが２ミリメートル以下である
構成を採用してもよい（第２の実施態様）。
【００１１】
また、上記の第１乃至第３の実施態様において、
前記箱状のケースの外側表面における２面の接続部である縁部および３以上の面の接続部である角部の少なくとも一部が丸められている
構成を採用してもよい（第４の実施態様）。
【００１２】
また、上記の第１乃至第４のいずれかの実施態様において、
電源部と、
前記電源部から供給される電力により発光する発光部と
を備え
構成を採用してもよい（第５の実施態様）。
【００１３】
また、上記の第５の実施態様において、
前記発光部は、前記表面部および前記側面部のいずれかの位置に配置され、前記無加工の天然の花、加工された天然の花もしうは人工の花に対し、正面方向から側面方向に至る範囲内のいずれかの方向に光を照射する
構成を採用してもよい（第６の実施態様）。
【００１４】
また、上記の第５または第６の実施態様において、
前記側面部は、各々が矩形状の上側面部、下側面部、右側面部および左側面部を有し、
前記ケースは、直方体状の形状を有し、
前記発光部は、前記直方体状の形状を有する箱状のケースにおいて、前記表面部と前記各々が矩形状の上側面部、下側面部、右側面部および左側面部とが構成する４つの角部の各々のうち少なくともいずれかの角部に配置される
構成を採用してもよい（第７の実施態様）。
【００１５】
また、上記の第５乃至第７のいずれかの実施態様において、
前記電源部は、前記基底部に配置され、
前記発光部は、前記基底部が前記側面部と係合し前記ケースが構成されることより前記電源部と電気的に接続されて発光可能となる
構成を採用してもよい（第８の実施態様）。
【００１６】
また、上記の第５乃至第８のいずれかの実施態様において、
前記ケースの内部に配置された、ビーズを伴う無加工の天然の花、加工された天然の花もしくは人工の花を備える
構成を採用してもよい（第９の実施態様）。
【考案の効果】
【００１７】
本考案の第１の実施態様にかかる壁掛け用額縁によれば、プリザーブドフラワー等がケースにより埃などから保護されるとともに、ケースの表面部および側面部が透明性を有した素材でできているためプリザーブドフラワー等が様々な角度から視認可能となり、その装飾性が高まる。
【００１８】
本考案の第２の実施態様にかかる壁掛け用額縁によれば、例えば一般的な樹脂性の陳列ケース等において採用されている樹脂板の厚さよりも薄いため、ケースの透明性が高く、プリザーブドフラワー等の装飾性が観る者によりよく伝わる。
【００１９】
本考案の第３の実施態様にかかる壁掛け用額縁によれば、第２の実施態様にかかる壁掛け用額縁と比較してケースの透明性がさらに高く、プリザーブドフラワー等の装飾性が観る者にさらによりよく伝わる。
【００２０】
本考案の第４の実施態様にかかる壁掛け用額縁によれば、ケース表面の縁部もしくは角部が丸められているため、ユーザが誤って縁部や角部に身体をぶつけたような場合でも怪我をする危険性が低い。
【００２１】
本考案の第５の実施態様にかかる壁掛け用額縁によれば、発光部による光の照射によりプリザーブドフラワー等の装飾性を際だたせることができる。
【００２２】
本考案の第６の実施態様にかかる壁掛け用額縁によれば、発光部による光がプリザーブドフラワー等の正面もしくは側方から照射されるため、プリザーブドフラワー等の装飾性をさらに際だたせることができる。
【００２３】
本考案の第７の実施態様にかかる壁掛け用額縁によれば、発光部により花弁を手前から照らすように光が照射されるため、プリザーブドフラワー等の装飾性をさらに際だたせることができる。
【００２４】
本考案の第８の実施態様にかかる壁掛け用額縁によれば、電源部が設けられている基底部と側面部との係合により当該電源部および発光部の電気的な接続が行われて当該発光部の発光が可能となるので、上述のケースの構成の自由度が高まる。例えば、当該ケースにおける当該基底部とその他の部分との着脱が容易な構成とすれば、当該基底部にプリザーブドフラワー等を配置することも容易となる。
【００２５】
本考案の第９の実施態様にかかる壁掛け用額縁によれば、ケース内に配置されたビーズを伴うプリザーブドフラワー等に照射される光が反射したり透過したりする結果、装飾性の高いオブジェが実現される。
【図面の簡単な説明】
【００２６】
【図１】図１は、本考案の一実施形態にかかる壁掛け用額縁の外観図である。
【図２】図２は、本考案の一実施形態にかかる壁掛け用額縁の側面図である。
【図３】図３は、本考案の一実施形態にかかる壁掛け用額縁の上面および背面を示した図である。
【図４】図４は、本考案の一変形例にかかる壁掛け用額縁の側面図である。
【考案を実施するための形態】
【００２７】
（実施形態）
以下、本考案の一実施形態である壁掛け用額縁１を説明する。壁掛け用額縁１は、無加工の天然の花、プリザーブドフラワーやドライフラワー等の加工された天然の花、シルクフラワーやビーズアートによる花等の人工の花を内部に配置した状態で壁面上に取り付け可能な額縁である。なお、以下の説明においては例として、壁掛け用額縁１にはプリザーブドフラワーＦが配置されるものとする。
【００２８】
図１は、床上に置いた状態の壁掛け用額縁１を斜め上方から見た外観図である。図２は、壁面上に取り付けた状態の壁掛け用額縁１を左側から見た側面図である。なお、いずれの図においても、壁掛け用額縁１の内部にはプリザーブドフラワーＦが配置されている。
【００２９】
本願において、本考案にかかる壁掛け用額縁の構造を記述するにあたり、その方向を以下のように定義する。まず、壁掛け用額縁１を壁面上に取り付けた状態において、壁掛け用額縁１を真正面から見る方向、すなわち壁面と垂直な方向であって、壁の手前から壁に向かう方向を正面方向というものとする。また、本願において、正面方向に垂直な方向を側面方向というものとする。ここで注意を促したい点は、本願における側面方向とは、壁掛け用額縁１を真正面から見た場合の左右方向や上下方向に限られず、斜め方向も含む壁面と並行なあらゆる方向を含む概念である。
【００３０】
壁掛け用額縁１は、不透明な樹脂でできた中空の平板な箱状体である基底部１１と、基底部１１の手前面上に配置されるプリザーブドフラワーＦを覆う透明なアクリル樹脂でできた蓋部１２と、基底部１１の中空内に配置される充電された蓄電池である電源部１３と、蓋部１２の内側角部に配置されプリザーブドフラワーＦに対し光を照射する発光部１４と、電源部１３から供給される電力を発光部１４に導く導電体である導電部１５とを備えている。
【００３１】
基底部１１は、壁掛け用額縁１が壁面上に取り付けられた状態における壁面と接する側の１面（裏面）が開口した箱状体である基部１１１と、基部１１１の開口部を塞ぐように配置され裏面を構成する底部１１２とを有する。
【００３２】
例えば、基部１１１の開口側端辺近くの内側面に設けられた凹部に底部１１２の外縁部が嵌り込むことにより、底部１１２と基部１１１が係合する。ユーザは必要に応じて底部１１２を基部１１１から取り外し電源部１３の交換を行うことができる。
【００３３】
基部１１１の内側（底部１１２に対向する面上）には、電源部１３をセットする枠が設けられており、その枠にはセットされた電源部１３の正極端子および負極端子の各々に電気的に接触する位置に導電部１５の端部が配置されている。なお、この端部は例えば「レ」の字形状に曲げられた金属片であり、その弾性により電源部１３をホールドするとともに、電源部１３の交換を繰り返し行っても破損しない十分な強度を備えている。
【００３４】
蓋部１２は、壁面側、すなわち基底部１１側の１面が開口した５面からなる箱状体である。蓋部１２は手前面を構成する表面部１２１と、表面部１２１の４辺の各々から正面方向、すなわち壁面に向かう方向に延伸し表面部１２１と垂直に交わり連結する４つの側面部とを備える。蓋部１２の側面部のうち、正面方向に見た場合の上側に配置されるものを上側面部１２２、右側に配置されるものを右側面部１２３、下側に配置されるものを下側面部１２４、そして左側に配置されるものを左側面部１２５とする。
【００３５】
蓋部１２を構成する５面、すなわち表面部１２１、上側面部１２２、右側面部１２３、下側面部１２４および左側面部１２５は、いずれも透明なアクリル樹脂の板である。蓋部１２の板厚は特に限定されないが、高い透明性と軽量性を実現するために、十分な強度が確保できる範囲で薄い方が望ましい。例えば、素材がアクリル樹脂の場合、表面部１２１が２０センチメートル四方以下では２ミリメートル以下、２０センチメートルを超えて３０センチメートル程度までは３ミリメートル以下であることが望ましい。
【００３６】
蓋部１２を構成する５面のうち隣接する２面が接続する部分である縁部の外側表面と、それら５面のうち隣接する３面が接続する部分である角部の外側表面は丸められている。そのため、例えばユーザが誤って壁掛け用額縁１に身体をぶつけても、怪我をする危険性が少ない。なお、図１においては、図の簡略化のため、縁部および角部の丸みは反映されていない。
【００３７】
蓋部１２は基底部１１に容易に着脱可能となっている。例えば、蓋部１２の開口側端辺近くの内側面に設けられた凸部が基底部１１の外側面に設けられた凹部に嵌り込むことにより、蓋部１２と基底部１１が係合する。従って、ユーザは必要に応じて蓋部１２を基底部１１から取り外し、プリザーブドフラワーＦの設置等を行うことができる。
【００３８】
電源部１３は、既に述べたように充電された蓄電池であり、例えば市販されているマンガン乾電池や、再充電可能なニッケル水素電池などである。
【００３９】
発光部１４は、蓋部１２の４つの角部の内側に各々配置される４つの発光体を備え、それらの４つの発光体は、例えば消費電力と発熱が少ない発光ダイオード（ＬＥＤ、Ｌｉｇｈｔ  Ｅｍｉｔｔｉｎｇ  Ｄｉｏｄｅ）である。
【００４０】
発光部１４が備える４つの発光体は全体として壁掛け用額縁１の内部に配置されたプリザーブドフラワーＦを正面方向にほぼ均等に照射するように、各々その光軸の方向（照射する光の光量が最大となる方向）が調整されて蓋部１２の内側角部に取り付けられている。
【００４１】
導電部１５は、基底部１１内に配置され、電源部１３の正極端子もしくは負極端子から基底部１１の端部（基底部１１が蓋部１２と係合する際に接する部分）までの区間の導電を行う後方導電部１５１と、蓋部１２の端部（蓋部１２が基底部１１と係合する際に接する部分）から発光部１４の正極端子（アノード）もしくは負極端子（カソード）までの区間の導電を行う前方導電部１５２とを備えている。
【００４２】
なお、後方導電部１５１および前方導電部１５２は各々、電源部１３の正極端子および負極端子と、発光部１４が備える４つの発光ダイオードの正極端子および負極端子とを各々電気的に接続するために、合計で８本の導電線を備える必要がある。
【００４３】
後方導電部１５１が備える８本の導電線の電源部１３とは反対側の端部と、前方導電部１５２が備える８本の導電線の発光部１４とは反対側の端部は、基底部１１と蓋部１２との係合に伴い各々対応する端部同士が電気的に接続されるように、基底部１１の外側面上および蓋部１２の内側面上に露出するように配置されている。従って、蓋部１２が基底部１１に取り付けられると、自動的に後方導電部１５１と前方導電部１５２との電気的な接続が行われる。
【００４４】
ところで、基底部１１が不透明であるのは、電源部１３および後方導電部１５１を外部から見えなくすることにより、プリザーブドフラワーＦの装飾性を損なわないようにするためである。
【００４５】
一方、蓋部１２が透明であるのは、プリザーブドフラワーＦを外部の様々な方向から見ることを可能とすることにより、プリザーブドフラワーＦの装飾性を高めるためである。特にアクリル樹脂は、一般的な他の樹脂と比較し透明度が高く、ガラス等の素材と比較し軽量であるため、壁掛け用額縁１の目的に照らし好適である。
【００４６】
上述のように、後方導電部１５１は不透明な基底部１１により外部から見えないため、後方導電部１５１の素材は例えば銅線のように有色のものであっても問題なく、その太さも特に制限を伴わない。一方、前方導電部１５２は透明な蓋部１２の内側に配置されるため、外部から見える。従って、プリザーブドフラワーＦの装飾性を損なわないように、好ましくは蓋部１２の内側に形成されたＩＴＯ（酸化インジウム・スズ）等を素材とする透明導電膜を前方導電部１５２とすることが望ましい。
【００４７】
ただし、コスト高等の理由により蓋部１２に対する透明導電膜の形成が困難である場合には、それに代えて、可能な限り細い銅線等の金属線を用いたり、前方導電部１５２が配置される蓋部１２の稜線部分のみに帯状に着色を行ったり、金属線をデザイン性に優れた有色樹脂等で覆ったりすることで、プリザーブドフラワーＦの視認性が多少犠牲となっても、全体的な装飾性があまり損なわれない構成が採用されてもよい。
【００４８】
以上が壁掛け用額縁１の構造の説明である。このような構造を備える壁掛け用額縁１によれば、まず、壁掛け用額縁１の内部に配置されるプリザーブドフラワー等が透明な蓋部１２により覆われるため、外部からの視認性が高くプリザーブドフラワー等の装飾性が損なわれないと同時に、埃等からプリザーブドフラワー等が保護され、その保存性が高い。
【００４９】
さらに、壁掛け用額縁１によれば、内部に配置されたプリザーブドフラワー等に対し光が照射されるため、壁掛け用額縁１が暗い場所に取り付けられた場合、プリザーブドフラワー等の装飾性が際立つ。その際、例えば背面から手前方向ではなく、手前から奥方向に光が照射されるため、プリザーブドフラワー等の花弁等の色合いをより美しく見せることができる。
【００５０】
また、壁掛け用額縁１によれば、内部にプリザーブドフラワー等を新たに配置する場合や、内部に配置されているプリザーブドフラワー等を交換したり配置直しをしたりする場合にも不便がない。すなわち、ユーザは基底部１１から蓋部１２を取り外すだけで、自由にプリザーブドフラワー等を基底部１１の手前面上に配置し、その後、蓋部１２を基底部１１に取り付けるだけでよい。プリザーブドフラワー等を基底部１１に配置する際、例えば箱状の額縁内にそれらを配置する場合と比較し、側面を構成する壁面に手がぶつかる等の不便さが伴わず快適である。
【００５１】
また、壁掛け用額縁１によれば、蓋部１２の板厚が薄く、従来のものと比較して軽量であるため、運搬において便利であるだけでなく、壁掛け時に壁面に与える負荷が少なく望ましい。
【００５２】
ところで、壁掛け用額縁１を壁面上に取り付ける方法としては様々なものが採用可能である。例えば、基底部１１の背面の上縁部近くや上側面部１２２の壁面側縁部近くに三角吊カン、Ｕ吊カン、Ｄ吊カン、板吊等の吊り金具を取り付けることが考えられる。また、それらの吊り金具が外部から見えると壁掛け用額縁１の装飾性を損なう場合があるため、基底部１１や上側面部１２２に孔を開けることにより、壁掛け用額縁１の壁掛けを可能としてもよい。
【００５３】
図３は、基底部１１の背面の上縁部近くおよび上側面部１２２の壁面側縁部近くに壁掛け用の孔が設けられた壁掛け用額縁１の様子を示した図である。ユーザは、壁面に打たれた釘や壁面に取り付けられたフックを基底部１１に設けられた鍵穴形状の孔１６１に差し入れて引っ掛けることにより、壁掛け用額縁１を壁面上に掛けることができる。
【００５４】
また、ユーザは、上側面部１２２に設けられた２つの孔１６２および孔１６３にリボン、チェーン等の紐状体を通して、その紐状体を壁面に取り付けられたフック等に引っ掛けることにより、壁掛け用額縁１を壁面上に掛けることができる。
【００５５】
なお、孔１６１、孔１６２および孔１６３は壁掛けに利用されない場合、例えば透明なシールやキャップで塞がれることにより、埃が壁掛け用額縁１の内部に入る等の不都合が回避されることが望ましい。
【００５６】
（変形例）
上述した壁掛け用額縁１は本考案の一具体例であり、本考案の技術的思想の範囲内において様々に変形可能である。以下にそのような変形の例を示す。
【００５７】
上述した壁掛け用額縁１においては、基底部１１に対し正面方向に蓋部１２を取り付ける構造が採用されるものとしたが、本考案は基底部１１と蓋部１２の係合の仕方につき限定されない。例えば、基底部１１が蓋部１２に対し側面方向にスライドインすることで基底部１１に蓋部１２が取り付けられる構造が採用されてもよい。
【００５８】
その場合、例えば一体成形や接着等により一体に構成された表面部１２１、右側面部１２３、下側面部１２４および左側面部１２５に対し、上側面部１２２がネジ止め等により着脱可能とすることにより、プリザーブドフラワー等がその手前面上に配置された基底部１１が蓋部１２に対し側面方向にスライドインすることが可能となる。すなわち、上側面部１２２の取り外された状態の蓋部１２に対し基底部１１がスライドインされるため、基底部１１の手前面上に配置されたプリザーブドフラワー等は開口した上側面を通過することができる。その後、上側面部１２２が蓋部１２（上側面部１２２を除く部分）に取り付けられることにより、壁掛け用額縁１に対するプリザーブドフラワー等のセットが完了する。
【００５９】
なお、上述のように基底部１１が蓋部１２にスライドインする構造が採用される場合、例えば、蓋部１２の背面側の縁部近くの内側面上に設けられたガイド溝に対し、基底部１１の外側面上に設けられた帯状の凸部が嵌り込むことで、蓋部１２に対する基底部１１の位置決めおよび固定が行われるようにすることが考えられる。
【００６０】
また、壁掛け用額縁１に関し上述した形状は一例であって、他の様々な好ましいデザインが採用され得る。例えば、蓋部１２の形状を単純な直方体ではなく、正面から見た場合にハート型等の他の形状にしたり、ダイヤモンドカットのようなより立体的な形状にしたりしてもよい。同様に、基底部１１の形状も単純な直法体ではなく、例えば図４に示すように、板状体およびその板状体から手前方向に隆起するように配置された箱状体からなる底部１１２と、底部１１２の箱状体の裏面の開口部を塞ぐように取り付けられる基部１１１とにより基底部１１が構成されてもよい。
【００６１】
その場合、底部１１２の箱状体の中空内部に電源部１３が配置可能となり、壁掛け用額縁１全体の厚み（正面方向の長さ）を小さくすることができるとともに、その箱状体が壁掛け用額縁１の内部に隆起する台を構成するため、プリザーブドフラワー等を立体的に配置することが可能となる。
【００６２】
また、上述した壁掛け用額縁１においては、電源部１３として蓄電池が採用されるものとしたが、本考案は電源の方式に関し限定されない。例えば、ＡＣ／ＤＣコンバータの付いた電源アダプタが電源部１３として採用されてもよい。その場合、電源部１３から伸びる電源ケーブルの先端のプラグを壁面の電源コンセントに差し込むことにより、電力の供給を受けることになる。
【００６３】
また、電源部１３から発光部１４に対する電力供給をＯＮ／ＯＦＦするためのスイッチを壁掛け用額縁１に設けてもよい。その場合、ユーザは発光が不要な時にスイッチをＯＦＦすることにより、無駄な電力消費を回避することができる。さらに、電源部１３から発光部１４に対する電力供給量を段階的に、もしくは連続的に変化させることを可能とするノブやスライダを壁掛け用額縁１に設けてもよい。その場合、ユーザは周りの明るさ等に応じて、発光部１４から照射される光の強さを自分の望む強さに調節することができる。
【００６４】
さらに、そのような電力供給のＯＮ／ＯＦＦや電力供給量の変更を自動的に制御する制御部を壁掛け用額縁１に設けてもよい。そのような制御部による自動制御の例としては、以下のものが考えられる。
（１）制御部が備えるタイマ（計時装置）による計時結果に基づき、予めユーザにより設定されている時刻の到来をトリガーとして、電源部１３から発光部１４に対する電力供給をＯＮ／ＯＦＦするもの。
（２）制御部が備える光センサによる計測結果に基づき、外部の明るさに応じて電力供給量を増減するもの。
（３）制御部が備える人感センサにより人が近づいたこと、もしくは通過したことが検知された場合、例えばその後の所定時間だけ、電源部１３から発光部１４に対する電力供給をＯＮするもの。
【００６５】
また、上述した壁掛け用額縁１においては、発光部１４が備える発光体は４個であり、それらが各々、蓋部１２の手前角部内側に配置されるものとしたが、発光体の個数や配置位置は様々に変更可能である。例えば、表面部１２１の中央内側に配置される１個の発光体を備える発光部１４が採用されてもよい。
【００６６】
また、発光部１４として発光ダイオードが採用されるものとしたが、例えば蛍光管等の他の発光体または発光装置が発光部１４に採用されてもよい。蛍光管のような線光源が用いられる場合、発光体の配置位置としては、例えば表面部１２１と４つの側面部の各々が接続する稜線の内側部分が望ましい。
【００６７】
なお、発光部１４から発せられる光の方向は、望ましくは正面方向から側面方向に至る範囲のいずれかの方向（正面方向および側面方向を含む）であることが望ましく、より望ましくは正面方向が望ましい。壁掛け用額縁１内に配置されるプリザーブドフラワー等の花弁等の色合いを鮮やかに見せるためである。
【００６８】
また、発光部１４から発せられる光は、基底部１１に対し均等か、もしくは基底部１１の中心が最も明るく、周辺にいくに従い徐々に暗くなることが望ましい。
【００６９】
例えば、発光部１４として蛍光管のような線光源が用いられる場合、発光部１４を例えば表面部１２１と上側面部１２２とが接続する稜線の内部（板の厚み内）に配置し、表面部１２１に導光板の機能を持たせ、表面部１２１全体から正面方向に光の照射を可能とする構成が採用されてもよい。その際、導光板の素材として透明度の高いシリコンゴム等を選択することにより、可能な限り蓋部１２の透明度を損なわないことが望ましい。
【００７０】
また、壁掛け用額縁１内に配置されるプリザーブドフラワー等の褪色を抑えるため、例えば蓋部１２の素材としてＵＶ（紫外線）カットの機能を持つ素材を採用したり、例えばアクリル樹脂の蓋部１２の外側面もしくは内側面にＵＶカットの機能を持つ透明フィルムを貼ったりすることにより、ＵＶカット機能を持たせてもよい。
【００７１】
また、上述した壁掛け用額縁１の各構成部の素材は、蓋部１２の少なくとも一部が透明性を備えている限り、様々に変更可能である。例えば、蓋部１２の素材としてアクリル樹脂以外の樹脂やガラス等が採用されてもよいし、基部１１１の手前面の全体をプリザーブドフラワー等が覆うような場合には、基底部１１の素材として透明な樹脂が採用されてもよい。
【００７２】
また、上述した壁掛け用額縁１の各構成部の係合の方法は凹部に凸部が嵌り込む方式や、ネジ止めによる方式に限られず、他の様々な方式が採用可能である。さらに、基底部１１や蓋部１２を構成する各部（例えば蓋部１２を構成する表面部１２１、上側面部１２２、右側面部１２３、下側面部１２４および左側面部１２５）の間の連結の方法も様々なものが採用可能である。例えば、それらが一体成形により連結されていてもよいし、各々異なる板状体として製造されたものが互いに接着やネジ止め等により連結されていてもよい。
【００７３】
また、導電部１５は基底部１１と蓋部１２の係合に伴い互いに電気的に接続される後方導電部１５１と前方導電部１５２とを備えるものとしたが、本考案はこれに限られるものではない。例えば、表面部１２１が側面部に対しネジ止め等により取り外し可能となる構成が採用される場合、導電部１５は後方導電部１５１および前方導電部１５２のように２つの分離可能な構成部を備える必要はない。
【００７４】
また、特に問題がなければ、電源部１３、発光部１４および導電部１５は設けられなくてもよい。
【００７５】
また、基底部１１は不透明であるものとしたが、美観上問題がなければ半透明もしくは透明であってもよい。特に、壁掛け用額縁１に電源部１３が設けられない場合、基底部１１が蓋部１２と同様に透明なアクリル樹脂でできていれば、壁面に直接、プリザーブドフラワーＦが配置されている印象を与えることができ、望ましい場合がある。
【００７６】
また、壁掛け用額縁１は、内部に配置されるプリザーブドフラワー等の保存性を高めるために、乾燥剤、脱酸素剤、防虫剤等の薬剤をその内部に備えてもよい。
【００７７】
また、壁掛け用額縁１の内部に配置されるプリザーブドフラワー等にビーズを伴わせてもよい。特に壁掛け用額縁１が発光部１４による光の照射機能を備えている場合、クリスタルビーズのように透明性の高いビーズや、パールビーズのように光反射性の高いビーズがケース内に配置されることで、その装飾性がさらに高まる。
【００７８】
その場合、ビーズの種類やビーズのケース内における配置の方法等は特に限られない。例えば、プリザーブドフラワー等の花弁等に透明な接着剤で接着してもよいし、プリザーブドフラワー等の間にビーズまたはビーズを用いた装飾物を配置してもよいし、ビーズで作成された人工の花を観賞物そのものとしてケース内に配置してもよい。
【００７９】
なお、特にビーズを伴うプリザーブドフラワー等が光の照射機能を備えた壁掛け用額縁１の内部に配置される場合、壁掛け用額縁１が備える発光部１４がプリザーブドフラワー等の正面からではなく後方から、すなわち基底部１１から見る者に向かう方向に光を照射するように構成されても、ビーズに照射された光が反射したり屈折したりすることで見る者に独特の印象を与えるため、装飾性の高いオブジェが実現可能となる。
【産業上の利用可能性】
【００８０】
本考案にかかる壁掛け用額縁は、プリザーブドフラワー等を美しく配置して私的空間もしくは公共空間に飾る場合に有用であり、数多く製造販売され、いわゆる製造業に貢献することが期待される。
【符号の説明】
【００８１】
１…壁掛け用額縁、１１…基底部、１２…蓋部、１３…電源部、１４…発光部、１５…導電部、１１１…基部、１１２…底部、１２１…表面部、１２２…上側面部、１２３…右側面部、１２４…下側面部、１２５…左側面部、１５１…後方導電部、１５２…前方導電部、孔…１６１、孔…１６２、孔…１６３
【図１】
0003161923.tif 000003
【図２】
0003161923.tif 000004
【図３】
0003161923.tif 000005
【図４】
0003161923.tif 000006